(57)【要約】【課題】携帯電話機の利用場面に応じて表示画面の視野角を変更する携帯電話機、携帯電話機の視野角変更方法、及び携帯電話機の視野角変更プログラムを提供する。【解決手段】プライベート性の高い受信メール、メール作成画面、ユーザが作成した静止画、ユーザが作成した動画、スケジュールデータ、ＴｏＤｏデータ等であるか、プライベート性の低い待ち受け画面等であるかを判断し、かつユーザの背後に人がいることを制御部が自動的に識別し、その判断結果及び識別結果に応じて液晶画面部の視野角を変更することにより、従来のようにユーザが液晶画面部にフィルタを貼り、視野角を手動で調整する必要がなく、極めて簡単に液晶画面の視野角を変更することができる。【選択図】図１
2007150866.tif 000002
【特許請求の範囲】
【請求項１】
視野角を複数のパターンに切り替え可能な表示手段と、前記表示手段の視野角を設定する視野角設定手段と、前記表示画面を視認できる所定の領域を被写体として撮影する撮影手段とを有する携帯電話機において、
前記表示手段に表示されるデータが個人的なものであるか否かを判別する判別手段と、
前記撮影手段によって撮影された画像データにユーザ以外の人物が写っているか否かを判定する判定手段とを有し、
前記判定手段によって前記画像データにユーザ以外の人物が写っていると判定され、かつ前記判別手段によって前記データが個人的なものであると判別されたとき、前記視野角設定手段は、前記表示手段の視野角を狭くすることを特徴とする携帯電話機。
【請求項２】
前記データが画像又は映像であり、かつ該データが自機で作成又は撮影された画像又は映像でないとき、前記判別手段は、前記データが個人的なものでないと判別することを特徴とする請求項１記載の携帯電話機。
【請求項３】
前記判定手段は、
前記画像データの色分布を検出し、
前記色分布から肌色成分が複数箇所検出されたとき、前記画像データにユーザ以外の人物が写っていると判定することを特徴とする請求項１又は２記載の携帯電話機。
【請求項４】
ユーザの顔写真を記憶する記憶手段を有し、
前記判定手段は、
前記画像データに含まれる全ての顔写真と、前記記憶手段に記憶された前記ユーザの顔写真とを比較し、
前記ユーザの顔写真と異なる前記顔写真が前記画像データに含まれているとき、前記画像データにユーザ以外の人物が写っていると判定することを特徴とする請求項１又は２記載の携帯電話機。
【請求項５】
視野角を複数のパターンに切り替え可能な表示手段と、前記表示手段の視野角を設定する視野角設定手段と、前記表示画面を視認できる所定の領域を被写体として撮影する撮影手段とを有する携帯電話機の視野角変更方法であって、
前記表示手段に表示されるデータが個人的なものであるか否かを判別する判別工程と、
前記撮影手段によって撮影された画像データにユーザ以外の人物が写っているか否かを判定する判定工程と、
前記判定工程によって前記画像データにユーザ以外の人物が写っていると判定され、かつ前記判別工程によって前記データが個人的なものであると判別されたとき、前記視野角設定手段は、前記表示手段の視野角を狭くする工程を有することを特徴とする携帯電話機の視野角変更方法。
【請求項６】
前記データが画像又は映像であり、かつ該データが自機で作成又は撮影された画像又は映像でないとき、前記判別工程は、前記データが個人的なものでないと判別することを特徴とする請求項５記載の携帯電話機の視野角変更方法。
【請求項７】
前記判定工程は、
前記画像データの色分布を検出する工程と、
前記色分布から肌色成分が複数箇所検出されたとき、前記画像データにユーザ以外の人物が写っていると判定する工程とを有することを特徴とする請求項５又は６記載の携帯電話機の視野角変更方法。
【請求項８】
前記携帯電話機は、ユーザの顔写真を記憶する記憶手段を有し、
前記判定工程は、
前記画像データに含まれる全ての顔写真と、前記記憶手段に記憶された前記ユーザの顔写真とを比較する工程と、
前記ユーザの顔写真と異なる前記顔写真が前記画像データに含まれているとき、前記画像データにユーザ以外の人物が写っていると判定する工程とを有することを特徴とする請求項５又は６記載の携帯電話機の視野角変更方法。
【請求項９】
視野角を複数のパターンに切り替え可能な表示手段と、前記表示手段の視野角を設定する視野角設定手段と、前記表示画面を視認できる所定の領域を被写体として撮影する撮影手段とを有する携帯電話機の視野角変更プログラムであって、
前記表示手段に表示されるデータが個人的なものであるか否かを判別する判別処理と、
前記撮影手段によって撮影された画像データにユーザ以外の人物が写っているか否かを判定する判定処理と、
前記判定処理によって前記画像データにユーザ以外の人物が写っていると判定され、かつ前記判別処理によって前記データが個人的なものであると判別されたとき、前記視野角設定手段は、前記表示手段の視野角を狭くする処理を有することを特徴とする携帯電話機の視野角変更プログラム。
【請求項１０】
前記データが画像又は映像であり、かつ該データが自機で作成又は撮影された画像又は映像でないとき、前記判別処理は、前記データが個人的なものでないと判別することを特徴とする請求項９記載の携帯電話機の視野角変更プログラム。
【請求項１１】
前記判定処理は、
前記画像データの色分布を検出する処理と、
前記色分布から肌色成分が複数箇所検出されたとき、前記画像データにユーザ以外の人物が写っていると判定する処理とを有することを特徴とする請求項９又は１０記載の携帯電話機の視野角変更プログラム。
【請求項１２】
前記携帯電話機は、ユーザの顔写真を記憶する記憶手段を有し、
前記判定処理は、
前記画像データに含まれる全ての顔写真と、前記記憶手段に記憶された前記ユーザの顔写真とを比較する処理と、
前記ユーザの顔写真と異なる前記顔写真が前記画像データに含まれているとき、前記画像データにユーザ以外の人物が写っていると判定する処理とを有することを特徴とする請求項９又は１０記載の携帯電話機の視野角変更プログラム。
【発明の詳細な説明】
【技術分野】
【０００１】
本発明は、携帯電話機、携帯電話機の視野角変更方法、及び携帯電話機の視野角変更プログラムに関し、特に、携帯電話機の利用場面に応じて表示画面の視野角を変更する携帯電話機、携帯電話機の視野角変更方法、及び携帯電話機の視野角変更プログラムに関する。
【背景技術】
【０００２】
近年、携帯電話機の多機能化が進み、音声通話のみならず、電子メールの送受信、ＷＷＷ（World Wide Web）上のホームページや写真の閲覧等の各種情報通信が可能となっている。よって、ユーザは、携帯電話機を使って場所を問わず電子メール等のやりとりが可能となった。しかし、場所と問わず携帯電話機が利用されることにより、外出中の電車やバスの車内等における混雑状況下において、携帯電話機を使用した際、その表示内容を周囲の人に見られてしまう問題があった。
【０００３】
特許文献１では、使用者が表示画面を覗くと、カメラによって使用者が写され、人物の顔と判断されて表示装置の照明を自動的に点灯し、使用者が表示画面を覗いている限り照明し続けることにより、表示内容の確認途中で表示画面が暗くなって表示内容が確認できなくなることがなく、操作キーからの入力等を行うことなく速やかにバックライトが点灯するため、操作上の煩わしさを覚えることなく、また操作キーの機械的操作回数の減少により、機構上の耐久性を向上させた携帯型表示装置が提案されている。
【０００４】
特許文献２では、情報を表示する情報表示手段と、情報表示手段の表示面に配設された視野角変更手段と、視野角変更手段の視野角を変更することにより当該視野角変更手段を透過して視認される情報表示手段の視野角を変更する視野角制御手段とを有し、所定の操作手段を介して入力された入力操作に応じて、又は携帯端末装置が実行中のアプリケーションの種類に応じて視野角変更手段の視野角を制御することにより、使用状況に応じて容易に情報表示手段の視野角を変更することができる携帯端末装置及び視野角可変表示装置が提案されている。
【０００５】
特許文献３では、視野角を複数のパターンに切り替え可能な表示手段と、表示手段の視野角を設定する視野角設定手段と、画像又は映像を撮影する撮影手段を備えた携帯端末であって、表示手段が撮影手段によって撮影された画像又は映像を表示するモードのとき、視野角設定手段は、前記モード以外のモード時に設定されている視野角よりも広い視野角に表示手段を設定することにより、表示手段の正面に立つ者以外も表示画面を明瞭に見ることができる携帯端末が提案されている。
【特許文献１】特開２００２−３３５５０１号公報
【特許文献２】特開２００４−０６２０９４号公報
【特許文献３】特開２００４−２３３５２７号公報
【発明の開示】
【発明が解決しようとする課題】
【０００６】
しかし、上記の発明は以下の問題を有している。
【０００７】
上記に発明によれば、ユーザによる入力操作、実行中のアプリケーションの種類等によって表示手段の視野角を狭い視野角、又は広い視野角に変更することにより、使用状況に応じて容易に表示手段の視野角を変更することができるが、ユーザが自ら視野角を設定する操作を必要がある。また、アプリケーションの種類に応じて表示手段の視野角が制御される場合、視野角の設定は実行中のアプリケーションによるため、ユーザが置かれている使用状況に応じて適切に視野角を制御することはできない。
【０００８】
例えば、受信メールなどプライベート性の高いものが液晶画面に表示される場合は、液晶画面の視野角を狭くし、待受画面などプライベート性の低いものが液晶画面に表示されている場合は、液晶画面の視野角を自動的に広くすることにより、ユーザが操作を行わなくても視野角を制御することができる。しかし、背後に他人がいない場合も表示画面の視野角が狭くなるため、不必要にユーザ自身の視野を狭めてしまうことがあった。
【０００９】
また、表示手段の視野角を狭くする方法として、液晶画面の表面に貼付するフィルタ等がある。しかし、このフィルタは周囲の人に見られる問題は解決できるが、ユーザ自身の視野を常に狭めてしまう問題がある。また、使用状況によって視野角を広くしたい場合もあり、該フィルタによっては、その状況に迅速に対応することはできない。さらに、液晶画面の表面に貼付されたフィルタは、劣化により液晶画面の表面から剥離することもある。
【００１０】
そこで、本発明は、本発明は、待受画面、受信メール、メール作成画面、静止画、動画、スケジュールデータ、ＴｏＤｏデータが液晶画面に表示される際、表示されるデータと、ユーザの背後に人がいることを制御部が自動的に識別し、液晶画面部の視野角を変更することにより、従来のようにユーザが液晶画面部にフィルタを貼り、視野角を手動で調整する必要がなく、極めて簡単に液晶画面の視野角を変更することができる携帯電話機、携帯電話機の視野角変更方法、及び携帯電話機の視野角変更プログラムを提案することを目的としている。
【課題を解決するための手段】
【００１１】
請求項１記載の発明は、視野角を複数のパターンに切り替え可能な表示手段と、前記表示手段の視野角を設定する視野角設定手段と、前記表示画面を視認できる所定の領域を被写体として撮影する撮影手段とを有する携帯電話機において、前記表示手段に表示されるデータが個人的なものであるか否かを判別する判別手段と、前記撮影手段によって撮影された画像データにユーザ以外の人物が写っているか否かを判定する判定手段とを有し、前記判定手段によって前記画像データにユーザ以外の人物が写っていると判定され、かつ前記判別手段によって前記データが個人的なものであると判別されたとき、前記視野角設定手段は、前記表示手段の視野角を狭くすることを特徴とする。
【００１２】
請求項２記載の発明は、請求項１記載の携帯電話機において、前記データが画像又は映像であり、かつ該データが自機で作成又は撮影された画像又は映像でないとき、前記判別手段は、前記データが個人的なものでないと判別することを特徴とする。
【００１３】
請求項３記載の発明は、請求項１又は２記載の携帯電話機において、前記判定手段は、前記画像データの色分布を検出し、前記色分布から肌色成分が複数箇所検出されたとき、前記画像データにユーザ以外の人物が写っていると判定することを特徴とする。
【００１４】
請求項４記載の発明は、請求項１又は２記載の携帯電話機において、ユーザの顔写真を記憶する記憶手段を有し、前記判定手段は、前記画像データに含まれる全ての顔写真と、前記記憶手段に記憶された前記ユーザの顔写真とを比較し、前記ユーザの顔写真と異なる前記顔写真が前記画像データに含まれているとき、前記画像データにユーザ以外の人物が写っていると判定することを特徴とする。
【００１５】
請求項５記載の発明は、視野角を複数のパターンに切り替え可能な表示手段と、前記表示手段の視野角を設定する視野角設定手段と、前記表示画面を視認できる所定の領域を被写体として撮影する撮影手段とを有する携帯電話機の視野角変更方法であって、前記表示手段に表示されるデータが個人的なものであるか否かを判別する判別工程と、前記撮影手段によって撮影された画像データにユーザ以外の人物が写っているか否かを判定する判定工程と、前記判定工程によって前記画像データにユーザ以外の人物が写っていると判定され、かつ前記判別工程によって前記データが個人的なものであると判別されたとき、前記視野角設定手段は、前記表示手段の視野角を狭くする工程を有することを特徴とする。
【００１６】
請求項６記載の発明は、請求項５記載の携帯電話機の視野角変更方法において、前記データが画像又は映像であり、かつ該データが自機で作成又は撮影された画像又は映像でないとき、前記判別工程は、前記データが個人的なものでないと判別することを特徴とする。
【００１７】
請求項７記載の発明は、請求項５又は６記載の携帯電話機の視野角変更方法において、前記判定工程は、前記画像データの色分布を検出する工程と、前記色分布から肌色成分が複数箇所検出されたとき、前記画像データにユーザ以外の人物が写っていると判定する工程とを有することを特徴とする。
【００１８】
請求項８記載の発明は、請求項５又は６記載の携帯電話機の視野角変更方法において、前記携帯電話機は、ユーザの顔写真を記憶する記憶手段を有し、前記判定工程は、前記画像データに含まれる全ての顔写真と、前記記憶手段に記憶された前記ユーザの顔写真とを比較する工程と、前記ユーザの顔写真と異なる前記顔写真が前記画像データに含まれているとき、前記画像データにユーザ以外の人物が写っていると判定する工程とを有することを特徴とする。
【００１９】
請求項９記載の発明は、視野角を複数のパターンに切り替え可能な表示手段と、前記表示手段の視野角を設定する視野角設定手段と、前記表示画面を視認できる所定の領域を被写体として撮影する撮影手段とを有する携帯電話機の視野角変更プログラムであって、前記表示手段に表示されるデータが個人的なものであるか否かを判別する判別処理と、前記撮影手段によって撮影された画像データにユーザ以外の人物が写っているか否かを判定する判定処理と、前記判定処理によって前記画像データにユーザ以外の人物が写っていると判定され、かつ前記判別処理によって前記データが個人的なものであると判別されたとき、前記視野角設定手段は、前記表示手段の視野角を狭くする処理を有することを特徴とする。
【００２０】
請求項１０記載の発明は、請求項９記載の携帯電話機の視野角変更プログラムにおいて、前記データが画像又は映像であり、かつ該データが自機で作成又は撮影された画像又は映像でないとき、前記判別処理は、前記データが個人的なものでないと判別することを特徴とする。
【００２１】
請求項１１記載の発明は、請求項９又は１０記載の携帯電話機の視野角変更プログラムにおいて、前記判定処理は、前記画像データの色分布を検出する処理と、前記色分布から肌色成分が複数箇所検出されたとき、前記画像データにユーザ以外の人物が写っていると判定する処理とを有することを特徴とする。
【００２２】
請求項１２記載の発明は、請求項９又は１０記載の携帯電話機の視野角変更プログラムにおいて、前記携帯電話機は、ユーザの顔写真を記憶する記憶手段を有し、前記判定処理は、前記画像データに含まれる全ての顔写真と、前記記憶手段に記憶された前記ユーザの顔写真とを比較する処理と、前記ユーザの顔写真と異なる前記顔写真が前記画像データに含まれているとき、前記画像データにユーザ以外の人物が写っていると判定する処理とを有することを特徴とする。
【発明の効果】
【００２３】
本発明は、待受画面、受信メール、メール作成画面、静止画、動画、スケジュールデータ、ＴｏＤｏデータが液晶画面に表示される際、表示されるデータと、ユーザの背後に人がいることを制御部が自動的に識別し、液晶画面部の視野角を変更することにより、従来のようにユーザが液晶画面部にフィルタを貼り、視野角を手動で調整する必要がなく、極めて簡単に液晶画面の視野角を変更することができる。
【発明を実施するための最良の形態】
【００２４】
以下に、本発明の一実施形態に係わる携帯電話機の構成及び動作について説明する。
【００２５】
まず、本実施形態に係わる携帯電話機のシステム構成について図１を用いて説明する。
【００２６】
本実施形態に係わる携帯電話機は、アンテナ１、送受信部２、送受話回路３、マイク４、スピーカ５、操作部６、メモリ７、制御部８、液晶表示部９、視野角切替部１０、カメラ１１、画像認識部１２、及び色分布検出部１３を有して構成される。
【００２７】
本実施形態に係わる携帯電話機は、操作部６が操作され電源が投入されると、制御部８によって各部が動作可能な状態となる。この状態で、操作部６を操作して相手の電話番号をダイヤルするか、メモリ７に登録された相手の電話番号を液晶表示部９へ呼出して発信キーを操作すると、発信信号が送受信部２を介してアンテナ１から基地局に送信される。そして、相手先の携帯電話機等が応答すると、応答信号がアンテナ１を介して送受信部２で受信され、送受話回路３が動作可能となって、マイク４及びスピーカ５を用いて相手と通話可能となる。
【００２８】
液晶表示部９は、ＬＣＤ（Liquid Crystal Display）からなり、携帯電話機の各種機能に対応したメニュー、電波の受信状態、電池残量、発信履歴、着信履歴、電子メール文、電話帳、スケジュール、画像等を表示する。また、電源投入時には電源ＯＮを示す表示を行い、電話番号を入力したときや相手を呼出したときはその電話番号を表示し、また、相手が応答すればその旨が表示される。
【００２９】
視野角切替部１０は、制御部８による制御によって液晶表示部９の視野角を切り替えるものである。視野角切替部１０における視野角の具体的な切替動作については、後述する。なお、液晶表示部９は、液晶セルに印加する電圧を変えることにより視角に対する透過率特性が変化する。したがって、入力信号に対する階調電圧変換特性を複数用意し、その階調電圧変換特性を切り替えて液晶セルを駆動することにより、複数の特性が視覚的に合成されて視野角を制御することができる。
【００３０】
カメラ１１は、被写体撮影時、制御部８によって制御され、液晶表示部９を見ながら操作部６の所定のボタンが操作されると、撮影を行うものである。撮影された画像データは、メモリ７に転送され保存される。色分布検出部１３は、カメラ１１によって撮影された画像データの色成分を解析して、画像認識部１２に入力する。
【００３１】
画像認識部１２は、カメラ１１が捉えた画像の中心付近における肌色成分の有無をチェックして、該画像内に複数の人物が存在するか否かを判定して、判定結果を制御部８に通知する。または、予め携帯電話機のユーザの顔写真をカメラ１１で撮影し、その画像データをメモリ７に格納しておく。そして、画像認識部１２では、カメラ１１から送られてくる現在の画像データに含まれる顔写真と、メモリ７に格納されている顔写真とを比較し、現在の画像データにユーザ以外の顔写真が含まれているか否かを判定し、判定結果を制御部８へ通知する構成とすることも可能である。
【００３２】
メモリ７は、上述した相手の電話番号、ユーザの顔写真等の他に、液晶表示部９に表示される内容に付与されるＩＤ（表１に示す）を保持する。例えば、プライベート性の高い受信メール、メール作成画面、ユーザが作成した静止画、ユーザが作成した動画、スケジュールデータ、ＴｏＤｏデータ等にはＩＤ＝１を付与し、プライベート性の低い待ち受け画面等には、ＩＤ＝０を付与する。制御部８は、画像認識部１２による判別結果及び表示されるデータごとに付与されたＩＤに基づいて、視野角切替部１０における視野角の切替を制御する。
【００３３】
【表１】
2007150866.tif 000003
【００３４】
次に、本実施形態に係わる携帯電話機の外観について図２を用いて説明する。
【００３５】
本実施形態に係わる携帯電話機は、中央のヒンジ部１６を境に、上部筐体１４と下部筐体１５とに分けられており、ヒンジ部１６を境に折り畳み可能に形成されている。
【００３６】
上部筐体１４は、送受信用のアンテナ１が引き出し及び収納可能な状態に取り付けられており、当該アンテナ１を介して基地局との間で電波を送受信するようになされている。また、上部筐体１４の正面には、液晶表示部９が設けられており、携帯電話機の各種機能に対応したメニュー、電波の受信状態、電池残量、発信履歴、着信履歴、電子メール文、電話帳、スケジュール、画像等のあらゆる情報を液晶表示部９に表示し得るようになされている。さらに、上部筐体１４の正面における液晶表示部９の上側にはスピーカ５が設けられており、受信した通信先ユーザの音声や着信通話音を再生するようになされている。
【００３７】
カメラ１１は、液晶表示部９の近傍にあって、液晶表示部９を覗く操作者を被写体としてとらえる位置に配設され、通常ＣＣＤ（Charge Coupled Device）やＣ−ＭＯＳ素子などが用いられる。
【００３８】
下部筐体１５は、その表面下部に、通話時のユーザの音声を集音し得るマイク４が設けられている。また、下部筐体１５には、その中央にテンキー、発呼キー、リダイアルキー、終話及び電源キー、クリアキー及び電子メールキー等の操作部６が設けられている。また、下部筐体１５には、その背面側に図示しないバッテリパックが装着されており、操作部６の操作により電源が投入されると、当該バッテリパックから内部の回路クロックに対して電力が供給され、携帯電話機を起動して動作可能な状態にする。
【００３９】
次に、液晶表示部９の視野角を変更する具体的な処理について図３を用いて説明する。
【００４０】
ユーザによって操作部６が操作され、制御部８から液晶表示部９に任意のデータを表示することが要求されると（ステップＳ３０１）、表示されるデータが表１に登録されたいずれのデータに該当するものであるかを判断する（ステップＳ３０２）。
【００４１】
そして、表示されるデータが表１に登録されたデータのいずれかに該当する場合は、表示されるデータがユーザによって作成されたものであるか否かを考慮した上で、該登録されたデータに対応するＩＤが、表示されるデータに付与される（ステップＳ３０３）。
【００４２】
例えば、液晶表示部９に表示されるデータが、ネットワークからダウンロード等したユーザ以外の者が作成した静止画、動画、又は待受画面である場合、そのデータはプライベート性の低いデータと判断されてＩＤ＝０が付与される（表１参照）。
【００４３】
また、液晶表示部９に表示されるデータが、ユーザがカメラ１１により撮影した静止画や動画、受信メール、メール作成画面、スケジュールデータ、ＴｏＤｏデータである場合は、そのデータはプライベート性の高いデータと判断されてＩＤ＝１が付与される（表１参照）。
【００４４】
液晶表示部９に表示されるデータに対するＩＤの付与処理が完了すると（ステップＳ３０３）、制御部８はカメラ１１により撮影された画像データからユーザの背後に人が居るか否かを判別する（ステップＳ３０４）。
【００４５】
具体的には、制御部８は、カメラ１１を制御して液晶表示部９を視認できる位置に居る人物を撮影する。撮影された画像データは、メモリ７に転送され保存される。色分布検出部１３は、カメラ１１によって撮影された画像データの色成分を解析して、画像認識部１２に入力する。画像認識部１２は、カメラ１１が捉えた画像の中心付近における肌色成分の有無をチェックして、該画像内に複数の人物が存在するか否かを判定して、判定結果を制御部８に通知する。
【００４６】
または、画像認識部１２において、予めカメラ１１により撮影し、メモリ７に格納しておいたユーザの顔写真を、カメラ１１により撮影した画像データに含まれる顔写真と比較し、該画像データ内にユーザ以外の顔写真が含まれているか否かを判定し、判定結果を制御部８へ通知する構成とすることも可能である。
【００４７】
画像データの中にユーザしか存在しなかった場合は（ステップＳ３０４／ＮＯ）、仮に液晶表示部９にプライベート性の高いデータを表示しても、他人に覗かれる恐れはないため、制御部８は視野角切替部１０に液晶表示部９の視野角を広くすることを要求する（ステップＳ３０５）。
【００４８】
一方、画像データの中に複数の人物が存在すると判定された場合は（ステップＳ３０４／ＹＥＳ）、ステップＳ３０３において液晶表示部９に表示されるデータに付与されたＩＤが０であるか否かを判断する（ステップＳ３０６）。
【００４９】
液晶表示部９に表示されるデータに付与されたＩＤが０である場合は（ステップＳ３０６／ＹＥＳ）、該データはプライベート性の低いデータであるため、制御部８は視野角切替部１０に液晶表示部９の視野角を広くすることを要求する（ステップＳ３０５）。
【００５０】
一方、液晶表示部９に表示されるデータに付与されたＩＤが１である場合は（ステップＳ３０６／ＮＯ）、該データはプライベート性の高いデータであるため、制御部８は視野角切替部１０に液晶表示部９の視野角を狭くすることを要求する（ステップＳ３０７）。
【００５１】
上述の処理によれば、待受画面、受信メール、メール作成画面、静止画、動画、スケジュールデータ、ＴｏＤｏデータが液晶画面に表示される際、表示されるデータと、ユーザの背後に人がいることを制御部が自動的に識別し、液晶画面部の視野角を変更することにより、従来のようにユーザが液晶画面部にフィルタを貼り、視野角を手動で調整する必要がなく、極めて簡単に液晶画面の視野角を変更することができる。
【００５２】
なお、本発明はノート型ＰＣ、電子手帳、ＰＤＡに応用することが可能である。それらの機器にユーザを撮影可能な内蔵カメラもしくは外付けカメラがあり、スケジュールデータ、ビジネスドキュメント、電子メールデータ、プライベートデータ等が液晶画面に表示されていることを自動的に識別し、液晶画面の視野角を自動的に狭くし、ホームページの閲覧など、視認性を重要視するようなシーンが液晶画面に表示されている場合は、それらが液晶画面に表示されていることを自動的に識別し、液晶画面の視野角を自動適に広くすることが可能である。
【図面の簡単な説明】
【００５３】
【図１】本実施形態に係わる携帯電話機のシステム構成を示すブロック図である。
【図２】本実施形態に係わる携帯電話機の外観図である。
【図３】本実施形態に係わる携帯電話機のデータ表示処理の手順を示すフローチャートである。
【符号の説明】
【００５４】
１    アンテナ
２    送受信部
３    送受話回路
４    マイク
５    スピーカ
６    操作部
７    メモリ
８    制御部
９    液晶表示部
１０    視野角切替部
１１    カメラ
１２    画像認識部
１３    色分布検出部
１４    上部筐体
１５    下部筐体
１６    ヒンジ部
【図１】
2007150866.tif 000004
【図２】
2007150866.tif 000005
【図３】
2007150866.tif 000006